(57)【要約】【課題】利用者の待ち時間を短くして退屈感を払拭でき、しかも利用者の回転率を向上できるようにした写真シール払出装置を提供する。【解決手段】被写体を撮影するカメラ１７ａ、被写体画像を表示するメイン操作パネル及びタッチペンが同一の撮影ブース９内に配設され、編集用画像を表示する落書き操作パネル３５ａ，３５ｂ及びタッチペンが、撮影ブース９外部の落書きブース１５ａ，１５ｂに配設され、落書きブース１５ａ，１５ｂにおいて、利用者により操作パネル３５ａ，３５ｂの表示画像に対して所定の文字や図家等が落書きされて編集用画像が作成されると、撮影ブース９内で、カメラ１７ａにより撮影されたメイン操作パネル１９に表示される被写体画像に、作成された編集用画像が合成され、その合成画像がメイン操作パネル１９に表示され、合成された画像がプリンタによりに印刷されて利用者に写真シールが提供される。【選択図】　　　　図２
2004056299.tif 000002
【特許請求の範囲】
【請求項１】
硬貨投入口への硬貨投入により起動し、被写体を撮影して得られる被写体画像に必要な編集を施してシール台紙に印刷する写真シール払出装置において、
前記被写体を撮影する撮影手段と、
前記撮影手段による前記被写体画像を表示する第１の表示手段と、
編集用画像を表示する第２の表示手段と、
前記第２の表示手段の画面に表示される画像に対して利用者が操作し所定の図形や文字等を入力して前記編集用画像を作成するための落書き操作手段と、
前記落書き操作手段の操作に応じて前記編集用画像を作成し、前記第１の表示手段の画面に表示される前記被写体画像に作成した前記編集用画像を合成する編集手段と、
前記撮影手段、前記第１の表示手段、前記第２の表示手段、前記落書き操作手段及び前記編集手段を制御し、前記編集手段により合成された画像を前記第１の表示手段に表示する制御手段と、
前記制御手段により制御されて前記編集手段により合成された画像をシール台紙に印刷する印刷手段と
を備え、
前記撮影手段及び前記第１の表示手段が、同一の撮影ブース内に配設され、前記第２の表示手段及び前記落書き操作手段が、前記撮影ブースの外部に配設されていることを特徴とする写真シール払出装置。
【請求項２】
予め撮影人数毎に準備された複数のデモ用ポーズデータを格納した格納手段と、利用者の操作によりパスワードを設定するためのパスワード設定手段と、前記編集用画像を記憶保持する保持手段とを備え、
前記編集手段は、前記落書き操作手段の操作により選択されるデモ用ポーズデータを前記格納手段から抽出し、抽出したデモ用ポーズデータに基づくポーズ画像に対して前記落書き操作手段の操作により入力される所定の図形、文字等を重畳して前記編集用画像を作成し、
前記制御手段は、前記編集手段により作成される前記編集用画像を前記パスワード設定手段により設定されたパスワードと共に前記保持手段に記憶させる
ことを特徴とする請求項１に記載の写真シール払出装置。
【請求項３】
前記撮影ブース内に配設され利用者の操作によりパスワードを入力するためのパスワード入力手段を備え、
前記制御手段は、前記パスワード入力手段により入力されたパスワードに対応する前記編集用画像を前記保持手段から読み出し、
前記編集手段は、前記制御手段により読み出される前記編集用画像を前記第１の表示手段の画面に表示される前記被写体画像に合成する
ことを特徴とする請求項２に記載の写真シール払出装置。
【請求項４】
前記撮影ブース内に配設され前記第１の表示手段の画面に表示される前記被写体画像に対し、利用者が操作して所定の図形や文字等を入力するための撮影ブース側操作手段を備えていることを特徴とする請求項１ないし３のいずれかに記載の写真シール払出装置。
【請求項５】
前記撮影ブース内の利用者の有無を、前記撮影ブース外部に報知する報知手段を備えていることを特徴とする請求項１ないし４のいずれかに記載の写真シール払出装置。
【請求項６】
前記制御手段は、
前記撮影手段を制御して予め設定された複数回の撮影を繰り返し、
前記編集手段を制御して前記撮影手段により撮影された前記被写体画像のなかから利用者により選択される複数の前記被写体画像に編集を施し、
前記印刷手段を制御して前記編集手段により編集された前記複数の被写体画像を前記シール台紙に印刷するものである
ことを特徴とする請求項１ないし５のいずれかに記載の写真シール払出装置。
【請求項７】
前記印刷手段は、一枚のシール台紙を複数の大きさの異なる区画に区分して、編集された前記複数の被写体画像を前記各区画に割り当てて印刷するものであることを特徴とする請求項６に記載の写真シール払出装置。
【請求項８】
前記第２の表示手段及び前記落書き操作手段が、予め設定された落書きブース内に配設されていることを特徴とする請求項１ないし７のいずれかに記載の写真シール払出装置。
【請求項９】
前記落書きブースが、複数設けられていることを特徴とする請求項８に記載の写真シール払出装置。
【請求項１０】
前記各落書きブースにおける前記落書き操作手段の操作による前記編集用画像の作成時間をそれぞれ計時する落書き計時手段と、前記落書き計時手段による計時時間が予め設定された設定時間に達する旨を報知する報知手段とを備え、
前記制御手段は、前記計時時間が前記設定時間に近付いたかどうか判断し、前記計時時間が前記設定時間に達するまで残り所定の時間になったと判断すると、もうすぐ前記設定時間に達する旨を報知すべく前記報知手段を制御する
ことを特徴とする請求項９に記載の写真シール払出装置。
【請求項１１】
利用者が前記撮影ブースにおいて遊技する遊技時間を計時する撮影計時手段を備え、
前記制御手段は、前記撮影計時手段による前記利用時間が予め設定された規定時間に近付いたかどうか判断し、前記規定時間に達するまで残り所定の時間になったと判断すると、前記各落書きブースのうち最先に使用している前記落書きブースの利用者に対し、前記撮影ブースがもうすぐ空き状態になる旨を報知すべく前記報知手段を制御する
ことを特徴とする請求項１０に記載の写真シール払出装置。
【請求項１２】
前記制御手段は、前記各落書きブースの使用状況を検出し、１つの前記落書きブースのみが使用されているときには、前記落書き計時手段による前記計時時間が前記設定時間に近付いても、前記報知手段による報知を行わないように前記報知手段を制御する
ことを特徴とする請求項１０または１１に記載の写真シール払出装置。
【発明の詳細な説明】
【０００１】
【発明の属する技術分野】
この発明は、硬貨投入口への硬貨投入により起動し、被写体を撮影して得られる被写体画像に必要な編集を施してシール台紙に印刷する写真シール払出装置に関する。
【０００２】
【従来の技術】
従来、１人あるいは友人同士の複数人で撮影した画像に、好みの文字や図形等を書き込んだ合成画像をシール台紙に印刷して払い出す写真シール払出装置が、若年層を中心として話題を集め、遊技場を始めとする各所に設置されている。
【０００３】
この種の装置では、利用者が所望の文字や図形を書き込む（以下では、かかる書き込みを「落書き」とも称する）ために、画像が表示される表示画面（モニタ）に対して落書き用のタッチペンを複数設け、複数の利用者がそれぞれタッチペンによる入力を行えるようにすることで、複数の利用者が同時に操作できるようにしている。
【０００４】
【発明が解決しようとする課題】
しかし、このように複数のタッチペンを設けても、撮影した被写体画像を表示する画面と、その被写体画像に対して落書きをするための画面とが、同一のモニタ上で行われる構成であるため、次の遊技の順番待ちをしている利用者がある場合には、先の利用者が撮影から落書き、印刷までの処理を終了するまで、待っていなければならず、順番待ちの利用者は待っている時間にすることがなく退屈感を覚えてしまうという問題点があった。
【０００５】
更に、装置を管理する管理者側の立場からは、利用者が順番待ちする時間が多くなればなるほど利用者の回転率が低下するため、収益率の向上を望むことができなくなるという問題点もあった。一方、利用者の回転率を上げるために、遊技時間を短くすることも考えられるが、実質的に落書きを行う時間が制限されることから、利用者にとって興味が半減してしまうという新たな不都合が生じる。
【０００６】
ところで、例えば登録実用新案公報第３０８３２５５号公報に記載のように、第１の表示手段により表示される被写体の画像を撮影する撮影空間と、第２の表示手段により表示される被写体の画像を編集する編集空間とを異なる位置に設けることが提案されている。
【０００７】
しかしながら、この公報に記載の考案の場合、編集空間において編集する対象が被写体画像であるため、利用者は撮影した後でなければ編集作業を行うことができず、撮影空間に入るまでの待ち時間における退屈感を払拭することはできない。
【０００８】
しかも、撮影後の編集空間における落書きに長時間をかける利用者がいた場合には、撮影空間で撮影を終了した利用者は、先に編集空間に入っている利用者が落書きを終えるのを待っていなければならず、このときに長い待ち時間が発生するため、ただ単に撮影空間と編集空間とを異ならせるだけでは、利用者の回転率を上げることができず、収益率の向上を図ることができないおそれがある。ここで、タイマなどによる時間制限を設定することも考えられるが、上記した公報には、かかる時間制限については一切開示されておらず、一定の条件下において何らかの時間制限を設定して一定の制御を行うことが望まれる。
【０００９】
そこで、本発明は、利用者の待ち時間を短くして退屈感を払拭でき、しかも利用者の回転率を向上できるようにした写真シール払出装置を提供することを目的とする。
【００１０】
【課題を解決するための手段】
上記した目的を達成するために、本発明は、硬貨投入口への硬貨投入により起動し、被写体を撮影して得られる被写体画像に必要な編集を施してシール台紙に印刷する写真シール払出装置において、前記被写体を撮影する撮影手段と、前記撮影手段による前記被写体画像を表示する第１の表示手段と、編集用画像を表示する第２の表示手段と、前記第２の表示手段の画面に表示される画像に対して利用者が操作し所定の図形や文字等を入力して前記編集用画像を作成するための落書き操作手段と、前記落書き操作手段の操作に応じて前記編集用画像を作成し、前記第１の表示手段の画面に表示される前記被写体画像に作成した前記編集用画像を合成する編集手段と、前記撮影手段、前記第１の表示手段、前記第２の表示手段、前記落書き操作手段及び前記編集手段を制御し、前記編集手段により合成された画像を前記第１の表示手段に表示する制御手段と、前記制御手段により制御されて前記編集手段により合成された画像をシール台紙に印刷する印刷手段とを備え、前記撮影手段及び前記第１の表示手段が、同一の撮影ブース内に配設され、前記第２の表示手段及び前記落書き操作手段が、前記撮影ブースの外部に配設されていることを特徴としている（請求項１）。
【００１１】
このような構成によれば、被写体を撮影する撮影手段、及び、被写体画像を表示する第１の表示手段が、同一の撮影ブース内に配設され、編集用画像を表示する第２の表示手段、及び、所定の図形や文字等を入力して前記編集用画像を作成するための落書き操作手段が、撮影ブースの外部に配設される。
【００１２】
そして、撮影ブースの外部において、利用者により落書き操作手段が操作され、第２の表示手段の表示画像に対して所定の文字や図家等が入力され、編集用画像が作成されると、撮影ブース内で、第１の表示手段に表示される被写体画像と、作成された編集用画像とが合成され、その合成画像が第１の表示手段に表示されると共に、印刷手段により、その合成された画像がシール台紙に印刷される。
【００１３】
そのため、利用者が撮影ブース内に入って撮影を始める前に、予め自分の好みにあった編集用画像を作成しておくことができることから、先の利用者が撮影ブースを使用していても、後の利用者が撮影ブースに入るまでに退屈感を覚えることを防止できる。更に、撮影ブース内での撮影には、それほど長時間を要しないため、先の利用者が印刷を終了すれば、編集用画像の作成を終えた次の利用者は撮影ブース内に入ることができ、退屈感を覚えることなく撮影を開始することができ、利用者の回転率が向上し、装置管理者の収益率も向上する。
【００１４】
また、本発明は、予め撮影人数毎に準備された複数のデモ用ポーズデータを格納した格納手段と、利用者の操作によりパスワードを設定するためのパスワード設定手段と、前記編集用画像を記憶保持する保持手段とを備え、前記編集手段は、前記落書き操作手段の操作により選択されるデモ用ポーズデータを前記格納手段から抽出し、抽出したデモ用ポーズデータに基づくポーズ画像に対して前記落書き操作手段の操作により入力される所定の図形、文字等を重畳して前記編集用画像を作成し、前記制御手段は、前記編集手段により作成される前記編集用画像を前記パスワード設定手段により設定されたパスワードと共に前記保持手段に記憶させることを特徴としている（請求項２）。
【００１５】
このような構成によれば、落書き操作手段の操作により選択されるデモ用ポーズデータ基づくポーズ画像に対して、落書き操作手段の操作により所定の図形、文字等が重畳されて編集用画像が作成されると、パスワード設定手段の操作により設定されたパスワードと共に作成された編集用画像が保持手段に記憶されるため、保持手段に記憶されている多数の編集用画像のなかから、利用者はパスワードを基に自分の作成した編集用画像を確実に検索して取り出せるようにしておくことができる。
【００１６】
また、本発明は、前記撮影ブース内に配設され利用者の操作によりパスワードを入力するためのパスワード入力手段を備え、前記制御手段は、前記パスワード入力手段により入力されたパスワードに対応する前記編集用画像を前記保持手段から読み出し、前記編集手段は、前記制御手段により読み出される前記編集用画像を前記第１の表示手段の画面に表示される前記被写体画像に合成することを特徴としている（請求項３）。
【００１７】
このような構成によれば、パスワード入力手段の操作により入力されたパスワードを基に、保持手段に記憶されている多数の編集用画像のなかから、利用者は自分の作成した編集用画像を確実に検索して取り出すことができ、利用者は好みの文字や図形等を書き込んだ編集用画像に被写体画像を合体した写真シールを得ることができる。
【００１８】
また、本発明は、前記撮影ブース内に配設され前記第１の表示手段の画面に表示される前記被写体画像に対し、利用者が操作して所定の図形や文字等を入力するための撮影ブース側操作手段を備えていることを特徴としている（請求項４）。
【００１９】
このような構成によれば、利用者は好みの文字や図形等を書き込んだ編集用画像に被写体画像が合成されたものに対し、撮影ブース側操作手段の操作により、更に所望の文字や図形等を追加して書き込むことができ、自分の好みにより合致した画像を印刷することができる。
【００２０】
また、本発明は、前記撮影ブース内の利用者の有無を、前記撮影ブース外部に報知する報知手段を備えていることを特徴としている（請求項５）。このような構成によれば、例えば撮影ブース内に先の利用者が入っていて、後の利用者が撮影ブースの外で第２の表示手段及び落書き操作手段を使用して編集用画像を作成中であるときに、撮影ブース内の利用者が印刷を終了してブースから退出すると、報知手段により撮影ブース内における利用者の不在が報知されるため、編集用画像を作成中の利用者に対して、撮影ブースの使用開始を促すことができ、利用者の回転率の向上を図ることができる。
【００２１】
また、本発明は、前記制御手段は、前記撮影手段を制御して予め設定された複数回の撮影を繰り返し、前記編集手段を制御して前記撮影手段により撮影された前記被写体画像のなかから利用者により選択される複数の前記被写体画像に編集を施し、前記印刷手段を制御して前記編集手段により編集された前記複数の被写体画像を前記シール台紙に印刷するものであることを特徴としている（請求項６）。
【００２２】
このような構成によれば、利用者は撮影手段による撮影を複数回繰り返すことができるため、利用者は撮影により得られる複数の被写体画像のなかから自分の気に入った１つまたはいくつかの被写体画像を選択して被写体画像を既に作成した編集用画像に合体させることができ、利用者の好みをいっそう反映させることができ、利用者の遊興心を十分に満足させることができる。
【００２３】
また、請求項６に記載の発明において、本発明では、前記印刷手段は、一枚のシール台紙を複数の大きさの異なる区画に区分して、編集された前記複数の被写体画像を前記各区画に割り当てて印刷するものであることを特徴としている（請求項７）。
【００２４】
このような構成によれば、１枚のシール台紙に異なる図柄の複数の写真シールを作成したり、大きさの異なるシールを作成することができ、利用者はバリエーション豊富な写真シールを得て楽しむことができる。
【００２５】
また、本発明は、前記第２の表示手段及び前記落書き操作手段が、予め設定された落書きブース内に配設されていることを特徴としている（請求項８）。このような構成によれば、第２の表示手段及び落書き操作手段が落書きブース内に配設されているため、作成中の編集用画像を他人に見られることを防止でき、安心して自分の好みの編集用画像を作成することができる。
【００２６】
また、本発明は、前記落書きブースが、複数設けられていることを特徴としている（請求項９）。このような構成によれば、順番待ちの利用者が多数いるときに、複数の落書きブースにおいて順番待ちの間、自分たちの好みの編集用画像を撮影の前に作成しておくことができ、撮影の順番待ちをしている多数の利用者が退屈感を覚えることを防止できる。
【００２７】
また、請求項９に記載の発明において、本発明では、前記各落書きブースにおける前記落書き操作手段の操作による前記編集用画像の作成時間をそれぞれ計時する落書き計時手段と、前記落書き計時手段による計時時間が予め設定された設定時間に達する旨を報知する報知手段とを備え、前記制御手段は、前記計時時間が前記設定時間に近付いたかどうか判断し、前記計時時間が前記設定時間に達するまで残り所定の時間になったと判断すると、もうすぐ前記設定時間に達する旨を報知すべく前記報知手段を制御することを特徴としている（請求項１０）。
【００２８】
このような構成によれば、落書き計時手段による計時時間が設定時間に達するまで残り所定の時間になると、報知手段によりもうすぐ設定時間に達する旨が報知されることから、利用者は落書き可能な時間が満了することを容易に把握することができ、利用者は慌てずに編集用画像の作成に集中することができる。
【００２９】
更に、利用者による落書き可能な時間を、落書き計時手段により計時される時間に制限するため、利用者の回転率を向上することができ、装置管理者の収益率の向上を図ることができる。
【００３０】
また、請求項１０に記載の発明において、本発明では、利用者が前記撮影ブースにおいて遊技する遊技時間を計時する撮影計時手段を備え、前記制御手段は、前記撮影計時手段による前記利用時間が予め設定された規定時間に近付いたかどうか判断し、前記規定時間に達するまで残り所定の時間になったと判断すると、前記各落書きブースのうち最先に使用している前記落書きブースの利用者に対し、前記撮影ブースがもうすぐ空き状態になる旨を報知すべく前記報知手段を制御することを特徴としている（請求項１１）。
【００３１】
このような構成によれば、複数の落書きブースを使用している状態で、撮影ブースがもうすぐ空き状態になると、最先に使用している落書きブースの利用者に対して、その旨が報知手段により報知されることから、その最先に使用している落書きブースの利用者は、自分の撮影の順番が回ってきたことを容易に把握することができ、利用者の回転率を向上することができる。
【００３２】
また、本発明は、前記制御手段は、前記各落書きブースの使用状況を検出し、１つの前記落書きブースのみが使用されているときには、前記落書き計時手段による前記計時時間が前記設定時間に近付いても、前記報知手段による報知を行わないように前記報知手段を制御することを特徴としている（請求項１２）。
【００３３】
このような構成によれば、複数の落書きブースのうち１つの落書きブースのみが使用されており、撮影ブースも空いているときには、報知手段による一切の報知が行われないことから、その落書きブースを使用している利用者は、無制限の時間で編集用画像を作成することができる。
【００３４】
【発明の実施の形態】
この発明の一実施形態について図１ないし図１４を参照して説明する。但し、図１及び図２は写真シール払出装置全体の外観斜視図及び概略構成図、図３は一部の外観斜視図、図４は制御系のブロック図、図５及び図６はそれぞれ動作説明用のフローチャート、図７ないし図１４は画面表示例を示す図である。
【００３５】
図１及び図２に示すように、本実施形態における写真シール払出装置１は、平面視ほぼ五角形状の装置本体３と、この装置本体３の後方に配設されて少なくとも天板により装置本体３に連設され撮影時における白色の背景を形成する背景形成体５とを備えている。
【００３６】
そして、装置本体３と背景形成体５との間における天板の左右の両側には、それぞれ例えば白色の仕切幕７が２枚ずつ取り付けられ、これによって装置本体３と背景形成体５との間に撮影ブース９が形成されている。更に、装置本体３の前側上部の２個所には、前方に延出してコ字状の支持梁１１が取り付けられ、これら両支持梁１１の前側に白色の遮蔽幕１３が取り付けられ、装置本体３の前側に両遮蔽幕１３によって仕切られた第１、第２落書きブース１５ａ，１５ｂが形成されている。
【００３７】
ところで、撮影ブース９内には、特に図３に示されるように、装置本体３の正面中央に撮影ユニット１７としてＣＣＤデジタルカメラ（以下、単にカメラと称する）１７ａおよび撮影モニタ１７ｂが設けられ、この撮影ユニット１７によりで撮影される被写体画像が装置本体３の正面中央下部に設けられたメイン操作パネル１９のほぼ中央部に形成されたメイン画面領域に表示されるようになっている。
【００３８】
撮影ユニット１７は、所定の範囲内で撮影方向を上下左右に可動自在となっており、ユーザが上記した写真の構図を自由に設定できるようになっている。即ち、撮影ユニット１７のカメラ１７ａは、後述する撮影ユニット駆動部（図４参照）に取り付けられていて、後述するコントローラ部（図４参照）からの指令に基づいて撮影ユニット駆動部がカメラ１７ａを駆動することにより、カメラ１７ａの撮影方向の可変設定が行われる。そして、カメラ１７ａにより撮像される被写体画像は、メイン操作パネル１９のメイン画面領域に表示される。
【００３９】
また、メイン操作パネル１９の両側には、一対のタッチペン２１が配設され、必要に応じて、操作パネル１９のメイン画面領域の周辺に設けられているメイン操作画面領域、及び、タッチペン２１が利用者により操作されると、操作パネル１９のメイン画面領域に表示される画像に対し所望の文字、図形等が入力されて書き込まれ、この書き込み後の画像が装置本体３の内部に設けられた後述のプリンタによりシール台紙に印刷され、装置本体３の外面に設けられたシール取出口２３へ排出されるようになっている。
【００４０】
ところで、メイン操作パネル１９は、メイン画面領域１９ａと、そのメイン画面領域１９ａ及びその周辺の操作画像領域上に設けられたデジタイザ１９ｂとにより構成される。本実施形態では、メイン画面領域１９ａが被写体画像を表示するための第１の表示手段として機能し、デジタイザ１９ｂ及びタッチペン２１が撮影ブース側操作手段として機能し、タッチペン２１が触れた画面上の位置をデジタイザ１９ｂが検出し、メイン画面領域１９ａ周辺の操作画面領域に表示されている編集のための操作画像を検出し、検出した編集操作画像に対応する文字や画像等を、タッチペン２１が触れたメイン画面領域１９ａの表示画像の位置に書き込むのである。
【００４１】
このメイン画面領域１９ａとしては、陰極線管式、液晶ディスプレイ、リアプロジェクション式など、種々の方式が考えられるが、これら及びそれ以外のいずれの方式であってもよい。
【００４２】
デジタイザ１９ｂとしては、赤外線方式、容量結合方式等、種々の方式が考えられるが、本実施形態においては、可視光に対する透過性があり、タッチペン２１との組合せによって使用できるものであって、複数の入力を識別することができるものであればどのような方式のものであってもよい。
【００４３】
ここで、メイン操作パネル１９のメイン画面領域１９ａ周辺の操作画面領域や、後述する落書き操作パネル３５ａ，３５ｂの落書き画面領域３９ａ周辺の落書き操作画面領域には、装置の動作状況に応じて上記した描画パターンのメニューや、編集作業のためのメニュー等の各操作メニューが表示され、特にメイン画面領域１９ａ周辺の操作画面領域には、撮影ユニット１７のカメラ１７ａの移動やシャッタ操作等を行うためのメニューも表示できるようになっている。
【００４４】
また、装置本体３には、利用者に規定の遊技料金を投入させるための硬貨投入口２５及び装置の管理者がこれを取り出すための硬貨取出口２７、装置本体３の複数箇所（撮影ユニット１７の周辺や装置本体３の正面下部等）に配設され鮮明な写真を撮影するために必要な露光量を確保するための蛍光灯及びその駆動用インバータ回路等から成る照明光源２９，３１、音声による操作案内や背景音楽等を流すためのスピーカ３３がそれぞれ設けられている。尚、図３には示されていないが、各照明光源２９，３１のほかに、撮影時に影をなくすために点滅駆動されるストロボが装置本体３に配設されている。
【００４５】
一方、第１、第２落書きブース１５ａ，１５ｂには、特に図１に示されるように、落書き操作パネル３５ａ，３５ｂがそれぞれ配設されると共に、落書き操作パネル３５ａ，３５ｂの両側にはそれぞれ一対ずつのタッチペン３７が配設されている。この落書き操作パネル３５ａ，３５ｂはいずれも、メイン操作パネル１９と同様に、中央部の落書き画面領域３９ａと、その落書き画面領域３９ａ及び周辺の落書き操作画面領域上に設けられたデジタイザ３９ｂとによりそれぞれ構成される。
【００４６】
本実施形態では、落書き画面領域３９ａが複数のデモ用ポーズデータに基づくデモ用ポーズを表示するための第２の表示手段として機能し、後述するメモリに予め格納された複数のデモ用ポーズデータに基づくデモ用ポーズが表示される。一方、デジタイザ３９ｂ及びタッチペン３７が落書き操作手段として機能し、タッチペン３７が触れた画面上の位置をデジタイザ３９ｂが検出し、落書き画面領域３９ａ周辺の落書き操作画面領域に表示されている編集操作画像を検出し、検出した編集操作画像に対応する文字や画像等を、タッチペン３７が触れた落書き画面領域３９ａの表示画像の位置に書き込むのである。この落書き画面領域３９ａは、メイン画面領域１９ａと同様に陰極線管式、液晶ディスプレイ、リアプロジェクション式等を問わず、デジタイザ３９ｂも、赤外線方式、容量結合方式等を問わない。
【００４７】
こうして、撮影に先立って落書きブース１５ａ，１５ｂ内で作成された編集用画像に、撮影ブース９内で撮影される被写体画像が合成され、必要な修正のための落書きが行われた合成画像が写真シールとして印刷されるのである。
【００４８】
尚、両落書きブース１５ａ，１５ｂにおける装置本体３の壁面にも、利用者に規定の遊技料金を投入させるための硬貨投入口４１が設けられ、落書きブース１５ａ，１５ｂにて硬貨を投入した利用者は、改めて撮影ブース９内で硬貨を投入する必要はなく、落書きからシール印刷までの一連の遊技について規定された硬貨を落書きブース１５ａ，１５ｂで投入すればよいようになっている。但し、落書きブース１５ａ，１５ｂを利用せずに、撮影ブース９のみを使用する利用者は、撮影ブース９内で硬貨投入口２５に規定の料金を投入すればよい。
【００４９】
次に、この写真シール払出装置１の制御系の構成について図４を参照して説明すると、図４に示すように、コントローラ部５１には、ＣＰＵ５３が設けられており、このＣＰＵ５３が、予め設定されたプログラムを実行して装置各部を制御している。また、コントローラ部５１には、ＣＰＵ５３が実行すべきプログラムや装置の動作状態を一時記憶するメモリ５５および画像データを記憶するためのハードディスク（ＨＤ）装置５７が設けられている。
【００５０】
更に、図４に示すように、コントローラ部５１には、カメラ１７ａからの画像データを受け付けてデジタル信号に変換するための画像入力部５９が設けられ、メイン操作パネル１９に撮像した被写体画像を表示させたり、落書き操作パネル３５ａ，３５ｂに編集のための画像を表示させるための表示処理部６１が設けられている。
【００５１】
また、図４に示すように、コントローラ部５１には、メイン操作パネル１９のデジタイザ１９ｂや落書き操作パネル３５ａ，３５ｂのデジタイザ３９ｂ、タッチペン２１，３７からの位置情報を処理する入力処理部６３が設けられると共に、撮影された被写体画像や編集用画像を重ね合わせた合成画像を生成するための画像処理部６５が設けられ、印刷手段であるプリンタ６７に対する制御信号および画像信号を出力する画像出力部６９が設けられており、これら各機能ブロックが内部バス７１を介して相互に接続されている。ここで、入力処理部６３及び画像処理部６５が、本発明における編集手段に相当する。
【００５２】
ところで、図４に示すように、上記した照明光源２９，３１及びストロボを駆動する照明駆動部７３が設けられ、この照明駆動部７３がコントローラ部５１のＣＰＵ５３により制御される。更に、硬貨処理部７５が設けられ、硬貨投入口１６から投入された硬貨の金額を検出して所定代金を検出したときに、硬貨処理部７５によってＣＰＵ５３にその旨が通知される。
【００５３】
また、撮影ユニット駆動部７７が設けられ、利用者の操作に基づき撮影ユニット駆動部７７がＣＰＵ５３により制御されて、撮影ユニット１７のカメラ１７ａが所定範囲内で上下方向に移動され、カメラ１７ａの仰角・俯角が可変され、カメラ１７ａのズーム調整が行われ、カメラ１７ａの撮影時の構図設定が利用者の操作に応じて行われる。
【００５４】
更に、図４に示すように、タイマ装置７９が設けられ、両落書きブース１５ａ，１５ｂそれぞれにおける編集用画像の作成時間つまり落書き時間をそれぞれ計時し、撮影ブース９における利用者の遊技時間を計時する。このタイマ装置７９が、本発明における落書き計時手段及び撮影計時手段に相当する。また、図４には示されていないが、音声合成部がコントローラ部５１のＣＰＵ５３により制御され、スピーカ３３から音声による操作案内や背景音楽等が出力される。
【００５５】
尚、図４に示すように、各タッチペン２１，３７はケーブル８１，８３によりそれぞれ装置本体３内のコントローラ部５１の入力処理部６３に接続され、各タッチペン２１，３７を把持してその先端をメイン操作パネル１９や落書き操作パネル３５ａ，３５ｂに触れることによって、予め選択した図形の配置を指定したり、手書き文字を入力したり、表示色を選択することができる。
【００５６】
続いて、コントローラ部５１の機能について詳細に説明する。まず、落書きブース１５ａ，１５ｂにおける利用者に対する機能について説明すると、ＨＤ装置５７には、１人、２人、３人、４人等の撮影人数毎に予め準備された複数のデモ用ポーズデータが格納されており、落書きブース１５ａ，１５ｂにおいて、利用者により落書き操作パネル３５ａ，３５ｂに画面表示される案内に従って所望のデモ用ポーズデータの選択操作が行われると、選択されたデモ用ポーズデータに基づくデモ用ポーズが落書き操作パネル３５ａ，３５ｂのほぼ中央の落書き画面領域３９ａに表示される。
【００５７】
そして、表示されたデモ用ポーズに対して、利用者により、落書き操作パネル３５ａ，３５ｂの落書き画面領域３９ａ周辺の落書き操作画面領域に表示される操作画像にタッチペン３７が接触され、所望の文字や図形等が書き込まれて落書きされ、落書きが終わると編集用画像の作成が完了し、落書き操作パネル３５ａ，３５ｂに表示される５０音や数字等のパスワード設定画面が表示され、利用者によりこのパスワード設定画面が操作されて自分固有のパスワードが設定されると、編集用画像と共に設定されたパスワードが保持手段としてのメモリ５５に記憶保持される。
【００５８】
ここで、上記したパスワード設定画面に利用者がタッチペン３７を接触して所定の文字や数字の組み合わせから成るパスワードを設定すると、デジタイザ３９ｂを介してコントローラ部５１によりその接触位置が検出されてパスワードが判読されるようになっている。このようなタッチペン３７、デジタイザ３９ｂ及びコントローラ部５１によるパスワード設定処理が、本発明におけるパスワード設定手段に相当する。
【００５９】
また、両落書きブース１５ａ，１５ｂそれぞれにおける編集用画像の作成時間つまり落書き時間には予め一定の制限時間が設定されており、この設定時間として例えば５分が設定され、落書き計時手段であるタイマ装置７９により両落書きブース１５ａ，１５ｂそれぞれにおける落書き時間がそれぞれ計時され、タイマ装置７９による計時時間が設定時間に達するまでに残り所定の時間、例えば残り１分より少なくなれば、コントローラ部５１により落書き操作パネル３５ａ，３５ｂが制御されて、落書き時間の残り時間を報知するメッセージが落書き操作パネル３５ａ，３５ｂに表示され、利用者に報知されるようになっている。
【００６０】
このとき、両落書きブース１５ａ，１５ｂのうち一方のみが使用されている状態であれば、コントローラ部５１のタイマ装置７９を計時しないように制御し、その結果落書き時間は制限されず、利用者は無制限に落書きを堪能することができる。但し、無制限といっても、所定の終了操作により利用者が意図的に落書きを終了できるようにしてもよいのは勿論である。また、装置管理者側において、このような落書き時間の制限と無制限とを選択的に切換設定できるようにしておくとよい。
【００６１】
尚、撮影ブース９における撮影時間にも予め一定の制限時間が設定されており、この設定時間として例えば４分が設定され、撮影計時手段であるタイマ装置７９は撮影ブース９における撮影時間を計時し、タイマ装置７９による計時時間が設定時間に達するまでに残り所定の時間、例えば残り１分より少なくなれば、コントローラ部５１により落書き操作パネル３５ａ，３５ｂが制御されて、撮影ブース９がもうすぐ空き状態になる旨を報知するメッセージが落書き操作パネル３５ａ，３５ｂに表示され、利用者に報知されるようになっている。このようなコントローラ部５１によるこれらメッセージの報知処理が、本発明における報知手段に相当する。
【００６２】
次に、撮影ブース９における利用者に対するコントローラ部５１の機能について説明すると、利用者が事前に落書きブース１５ａ，１５ｂにおいて作成した編集用画像をメモリ５５から呼び出すために、メイン操作パネル１９に５０音や数字等のパスワード入力画面が表示され、利用者によりこのパスワード入力画面が操作されて自分で設定した固有のパスワードが入力されると、そのパスワードに対応するメモリ５５のアドレスにアクセスされて、そのアドレスにパスワードと共に記憶保持されている編集用画像が検索されて呼び出され、カメラ１７ａにより撮影された被写体画像に呼び出された編集用画像が合成される。
【００６３】
ここで、上記したパスワード設定画面に利用者がタッチペン２１を接触して所定の文字や数字の組み合わせから成るパスワードを入力すると、デジタイザ１９ｂを介してコントローラ部５１によりその接触位置が検出されてパスワードが判読されるようになっている。このようなタッチペン２１、デジタイザ１９ｂ及びコントローラ部５１によるパスワード入力処理が、本発明におけるパスワード入力手段に相当する。
【００６４】
更に、利用者が合成された画像に対して修正を加えたい場合には、利用者により、メイン操作パネル１９のメイン画面領域１９ａ周辺の操作画面領域に表示される操作画像にタッチペン２１が接触され、所望の文字や図形等が書き込まれて追加の落書きが施され、追加の落書きが終わると編集用画像の修正が完了し、プリンタ６７により写真シールに修正後の画像が印刷されてシール取出口２３に排出されるのである。このようなコントローラ部５１による一連の制御処理が、本発明における制御手段に相当する。
【００６５】
続いて、動作の流れについて図５及び図６のフローチャート、並びに、図７ないし図１４の画面表示例を参照して説明する。
【００６６】
まず、落書きブース１５ａ，１５ｂの動作の流れについて説明すると、図５に示すように、客待ちの状態では、落書きブース１５ａ，１５ｂの落書き操作パネル３５ａ，３５ｂには所定のオープニングデモ画面が表示されており、例えば図７（ａ）に示すように、“お金を入れてね”というメッセージが表示される。そして、規定の硬貨が硬貨投入口４１に投入されると、図７（ａ）に示すように、落書き操作パネル３５ａ，３５ｂには、撮影人数の選択用画像が落書き操作パネル３５ａ，３５ｂに表示され、落書き可能な状態となる（Ｓ１）。
【００６７】
そして、利用者により、例えば２人用のデモ用ポーズが選択されると、図８（ａ）に示すように、“落書きしたポーズを選んでね”というメッセージと共に２人用のデモ用ポーズデータに基づく複数のデモ用ポーズが落書き操作パネル３５ａ，３５ｂの落書き画面領域３９ａに表示され、消耗のポーズが選択（図８（ａ）では右端のポーズが選択されたことを示す）されると、図８（ｂ）に示すように、落書き操作パネル３５ａ，３５ｂの落書き画面領域３９ａに選択されたデモ用ポーズが表示されると共に、その周辺の落書き操作画面領域には各種の落書きのための操作画像が表示される。このとき、落書き画面領域３９ａのデモ用ポーズの表示部分には、撮影ブース９で実際に撮影される被写体画像が、このデモ用ポーズに代わって嵌め込み合成される。尚、落書き操作パネル３５ａ，３５ｂの左上部には落書き時間の残り時間が表示され、利用者はこの残り時間表示からどれくらいの時間落書きが可能かも知ることができる。
【００６８】
更に、図９（ａ）に示すような落書きメニュー画面に従って、利用者による落書きが行われ、編集用画像の作成が完了、或いは落書き時間が設定時間に達すると、図５に示すように、落書き終了案内が行われる（Ｓ２）。即ち、図９（ｂ）に示すように、“らくがき時間終了！”等のメッセージが落書き操作パネル３５ａ，３５ｂに表示され、パスワードの設定用画面に切り換わる。
【００６９】
そして、図１０（ａ）に示すようなパスワード設定画面が落書き操作パネル３５ａ，３５ｂに表示され、利用者の操作により例えば「アユ７７」というパスワードが設定されると、図１０（ｂ）に示すように、“あなたのパスワードは「アユ７７」です。撮影ブースに移動して下さい。”というメッセージが落書き操作パネル３５ａ，３５ｂ表示され、利用者はこのメッセージに従って撮影ブース９に移動するのである。このとき、コントローラ部５１により、メモリ５５に設定されたパスワードと共に作成された編集用画像が記憶保持される。
【００７０】
続いて、撮影ブース９の動作の流れについて説明すると、図６に示すように、コントローラ部５１では、利用者が落書きブース１５ａ，１５ｂでの落書き完了を把握できているため、撮影ブース９に移動してきた利用者のために、メイン操作パネル１９には所定のオープニングデモ画面が表示され、その後、利用者向けのガイダンスとして撮影の説明がなされる（Ｓ１１）。このとき、撮影ブース９に移動してきた利用者を特定するために、図１１に示すようなパスワード入力画面がメイン操作パネル１９に表示され、利用者によって設定された「アユ７７」というパスワードが入力されると、利用者の特定作業が終了し、メモリ５５から該当する編集用画像が呼び出される。
【００７１】
そして、コントローラ部５１によりメイン操作パネル１９が制御されて撮影コースの選択画面が表示される（Ｓ１２）。即ち、図１２に示すように、落書きブースで作成した編集用画像を採用した利用者向けの「▲１▼らくがきに合わせて撮る」コース、ポーズ集だけを見たい利用者向けの「▲２▼ポーズ集を見ながら撮る」コース、自由に撮りたい利用者向けの「▲３▼自由なポーズで撮る」コースの３つのコースから所望のコースを選択するための画面が表示される。
【００７２】
ここで、▲１▼のコースが選択されると、図１２に示すように、メイン操作パネル１９のメイン画面領域１９ａにメモリ５５から呼び出された編集用画像が表示されると共に、“自分で描いたラクガキに合うように撮ってね”というメッセージが表示される。
【００７３】
一方、▲２▼のコースが選択されると、図１２に示すように、予め準備されてＨＤ装置５７に格納されているデモ用ポーズデータに基づくデモ用ポーズがメイン操作パネル１９のメイン画面領域１９ａに表示され、併せて“サンプル写真を参考にして撮ってね”　というメッセージが表示される。尚ここでは、落書き段階で２人用が既に選択されているので、２人用の複数のデモ用ポーズが順次に表示される。
【００７４】
他方、▲３▼のコースが選択されると、図１２に示すように、“好きなポーズで自由に撮ってね”というメッセージがメイン操作パネル１９のメイン画面領域１９ａに表示される。その後、図６に示すように、カメラ１７ａによる例えば２連写で４回の撮影が開始される（Ｓ１３）。このとき、メイン操作パネル１９のメイン画面領域１９ａには、図１２に示すように、２連写で１回の撮影終了後、２連写であと３回の撮影ができる旨のメッセージが表示される。
【００７５】
そして、図６に戻って、コントローラ部５１では、もっと撮影を行うか、撮影を終了するかの判定がなされ（Ｓ１４）、最大回数までもっと撮影を繰り返す場合にはステップＳ１２に戻り、満足する撮影ができて最大回数未満で撮影を終了する場合には、次のステップＳ１５の写真選択処理（Ｓ１５）に移行し、追加の落書き処理が行われ（Ｓ１６）、その後完成した画像がプリンタ６７によりシール台紙に印刷されて写真シールが排出される。
【００７６】
ところで、ステップＳ１５における表示は、例えば図１３（ａ）に示すように、“好きな写真を選んでね”というメッセージがメイン操作パネル１９に表示されると共に、撮影した被写体画像がメイン操作パネル１９に表示され、利用者はその中から気に入った例えば４枚を選択することができるようになっている。
【００７７】
更に、選択が終了すると、メイン操作パネル１９の表示画面は図１３（ｂ）に示すように切り換わり、落書きブース１５ａ，１５ｂで事前に施した落書きに追加の落書きを施したいという利用者の要望に応えるために、メイン操作パネル１９に修正落書き用の操作画面が表示される。即ち、メイン操作パネル１９のメイン画面領域１９ａに追加落書きのガイダンスが表示されると共に、その周辺の操作画面領域には追加落書きのための操作画像が表示される。
【００７８】
また、ステップＳ１６における表示は、例えば図１４（ａ）に示すように、事前に落書きされて作成された編集用画像に追加の落書きを加えたものが、選択された被写体画像に合成されてメイン操作パネル１９のメイン画面領域１９ａに表示され、その周辺の操作画面領域には各種落書きのための操作画像が表示される。このとき、メイン操作パネル１９の左上部には撮影時間の残り時間が表示され、利用者はこの残り時間表示から、どれくらいの時間撮影ブース９の利用が可能かを知ることができる。
【００７９】
その後、追加の落書きが終了すると、図１４（ｂ）に示すように、“プリント中です／シールは横からでてくるよ外で待っててね！”というメッセージがメイン操作パネル１９に表示される。
【００８０】
このように、被写体を撮影するカメラ１７ａ、被写体画像を表示するメイン操作パネル１９及びタッチペン２１が、同一の撮影ブース９内に配設され、編集用画像を表示する落書き操作パネル３５ａ，３５ｂ及びタッチペン３７が、撮影ブース９外部の落書きブース１５ａ，１５ｂに配設され、落書きブース１５ａ，１５ｂにおいて、利用者により操作パネル３５ａ，３５ｂの表示画像に対して所定の文字や図家等が落書きされて編集用画像が作成されると、撮影ブース９内で、カメラ１７ａにより撮影されたメイン操作パネル１９に表示される被写体画像に、作成された編集用画像が合成され、その合成画像がメイン操作パネル１９に表示されると共に、プリンタ６７により、その合成された画像がシール台紙に印刷されて利用者に写真シールが提供される。
【００８１】
従って、上記した実施形態によれば、利用者が撮影ブース９内に入って撮影を始める前に、落書きブース１５ａ，１５ｂで予め自分の好みにあった編集用画像を作成しておくことができることから、先の利用者が撮影ブース９を使用していても、後の利用者が撮影ブース９に入るまでに退屈感を覚えるのを防止することができる。
【００８２】
更に、撮影ブース９内での撮影には、それほど長時間を要しないため、先の利用者が印刷を終了すれば、編集用画像の作成を終えた次の利用者は撮影ブース９内に入ることができ、退屈感を覚えることなく撮影を開始することが可能になり、利用者の回転率を向上できて装置管理者の収益率の向上を図ることができる。
【００８３】
また、落書きブース１５ａ，１５ｂにおいて、タッチペン３７の操作により選択されるデモ用ポーズデータ基づくポーズ画像に対して、所定の図形、文字等を重畳されて編集用画像が作成された後パスワードが設定され、このパスワードと共に編集用画像がメモリ５５に記憶されるため、メモリ５５に記憶されている多数の編集用画像のなかから、利用者はパスワードを基に自分の作成した編集用画像を確実に検索して取り出せるようにしておくことができる。
【００８４】
一方、撮影ブース９では、利用者は自分が設定したパスワードをタッチペン２１の操作等により入力されたパスワードを基に、メモリ５５に記憶されている多数の編集用画像のなかから、利用者は自分の作成した編集用画像を確実に検索して取り出すことができ、利用者は好みの文字や図形等を書き込んだ編集用画像に被写体画像を合体した写真シールを得ることができる。
【００８５】
更に、遮蔽幕１３で仕切られる落書きブース１５ａ，１５ｂ内に配設されているため、作成中の編集用画像を他人に見られることを防止でき、安心して自分の好みの編集用画像を作成することができる。
【００８６】
また、落書きブース１５ａ，１５ｂにおいて、タイマ装置７９により計時される落書き時間が設定時間に達するまでの残り所定の時間が落書き操作パネル３５ａ，３５ｂにより報知されることから、利用者は落書き可能な時間が満了することを容易に把握することができ、利用者は慌てずに編集用画像の作成に集中することができる。
【００８７】
一方、利用者による落書き時間を、タイマ装置７９により計時される設定時間に制限することにより、利用者の回転率をの向上することができ、装置管理者の収益率の向上を図ることができる。
【００８８】
更に、撮影ブース９における撮影時間も制限され、タイマ装置７９により計時される撮影時間が設定時間に達するまでに残り所定の時間になれば、コントローラ部５１により落書き操作パネル３５ａ，３５ｂが制御されて、撮影ブース９がもうすぐ空き状態になる旨を報知するメッセージが落書き操作パネル３５ａ，３５ｂに表示されて利用者に報知されることから、落書きブース１５ａ，１５ｂの利用者は、自分の撮影の順番が回ってきたことを容易に把握することができ、利用者の回転率を向上することができ、装置管理者の収益率向上に寄与することできる。
【００８９】
このとき、プリンタ６７は、一枚のシール台紙を複数の大きさの異なる区画に区分して、編集が施された複数の被写体画像を各区画に割り当てて印刷するとよく、こうすると１枚のシール台紙に異なる図柄の複数の写真シールを作成したり、大きさの異なるシールを作成することができ、利用者はバリエーション豊富な写真シールを得て楽しむことができる。
【００９０】
なお、上記した実施形態では、落書きブースの個数を２個とした例を示したが、１個或いは３個以上であってもよいのは勿論であり、落書きブースの設置位置も、装置本体３から離れた場所であっても構わない。
【００９１】
また、上記した実施形態では、メイン操作パネル１９及び落書き操作パネル３５ａ，３５ｂにはそれぞれデジタイザ１９ａ，３９ｂを設けた例を示したが、これに限らず、メイン操作パネル１９及び落書き操作パネル３５ａ，３５ｂとして、所定の画像を表示できしかも指で直接触れて入力操作を行うことのできるタッチパネルで構成し、利用者はこれらのタッチパネルに表示されるメニューの所定の位置に触れることによって、タッチペン２１，３７で入力する図形の形や文字の色、描線の太さ等の描画パターンを任意に選択できるようにしてもよく、このときのタッチパネルとして、例えば抵抗膜式のものを使用することができるが、他の方式によるものであってもよい。
【００９２】
更に、メイン操作パネル１９及び両落書き操作パネル３５ａ，３５ｂの表示例は、図７〜図１４に示すものに限定されるものでないのは言うまでもない。
【００９３】
また、本発明は上記した実施形態に限定されるものではなく、その趣旨を逸脱しない限りにおいて上述したもの以外に種々の変更を行うことが可能である。
【００９４】
【発明の効果】
以上のように、請求項１に記載の発明によれば、利用者が撮影ブース内に入って撮影を始める前に、予め自分の好みにあった編集用画像を作成しておくことができるため、先の利用者が撮影ブースを使用していても、後の利用者が撮影ブースに入るまでに退屈感を覚えるのを防止することが可能になる。
【００９５】
更に、撮影ブース内での撮影には、それほど長時間を要しないため、先の利用者が印刷を終了すれば、編集用画像の作成を終えた次の利用者は撮影ブース内に入ることができ、退屈感を覚えることなく撮影を開始することができ、利用者の回転率を向上して装置管理者の収益率の向上を図ることが可能になる。
【００９６】
また、請求項２に記載の発明によれば、落書き操作手段の操作により選択されるデモ用ポーズデータ基づくポーズ画像に対して、落書き操作手段の操作により所定の図形、文字等が重畳されて編集用画像が作成されると、パスワード設定手段の操作により設定されたパスワードと共に作成された編集用画像が保持手段に記憶されるため、保持手段に記憶されている多数の編集用画像のなかから、利用者はパスワードを基に自分の作成した編集用画像を確実に検索して取り出せるようにしておくことが可能になる。
【００９７】
また、請求項３に記載の発明によれば、パスワード入力手段の操作により入力されたパスワードを基に、保持手段に記憶されている多数の編集用画像のなかから、利用者は自分の作成した編集用画像を確実に検索して取り出すことができ、利用者は好みの文字や図形等を書き込んだ編集用画像に被写体画像を合体した写真シールを得ることが可能になる。
【００９８】
また、請求項４に記載の発明によれば、利用者は好みの文字や図形等を書き込んだ編集用画像に被写体画像が合成されたものに対し、撮影ブース側操作手段の操作により、更に所望の文字や図形等を追加して書き込むことができ、自分の好みにより合致した画像を印刷することが可能になる。
【００９９】
また、請求項５に記載の発明によれば、例えば報知手段により撮影ブース内における利用者の不在が報知されるため、編集用画像を作成中の利用者に対して、撮影ブースの使用開始を促すことができ、利用者の回転率の向上を図ることが可能になる。
【０１００】
また、請求項６に記載の発明によれば、利用者は撮影手段による撮影を複数回繰り返すことができるため、利用者は撮影により得られる複数の被写体画像のなかから自分の気に入った１つまたはいくつかの被写体画像を選択して被写体画像を既に作成した編集用画像に合体させることができ、利用者の好みをいっそう反映させることが可能になり、利用者の遊興心を十分に満足させることができる。
【０１０１】
また、請求項７に記載の発明によれば、１枚のシール台紙に異なる図柄の複数の写真シールを作成したり、大きさの異なるシールを作成することができ、利用者はバリエーション豊富な写真シールを得て楽しむことが可能になる。
【０１０２】
また、請求項８に記載の発明によれば、第２の表示手段及び落書き操作手段が落書きブース内に配設されているため、作成中の編集用画像を他人に見られることを防止でき、安心して自分の好みの編集用画像を作成することが可能になる。
【０１０３】
また、請求項９に記載の発明によれば、順番待ちの利用者が多数いるときに、複数の落書きブースにおいて順番待ちの間、自分たちの好みの編集用画像を撮影の前に作成しておくことができ、撮影の順番待ちをしている多数の利用者が退屈感を覚えるのを防止することが可能になる。
【０１０４】
また、請求項１０に記載の発明によれば、落書き計時手段による計時時間が設定時間に達するまで残り所定の時間になると、報知手段によりもうすぐ設定時間に達する旨が報知されることから、利用者は落書き可能な時間が満了することを容易に把握することができ、利用者は慌てずに編集用画像の作成に集中することが可能になる。
【０１０５】
更に、利用者による落書き可能な時間を、落書き計時手段により計時される時間に制限するため、利用者の回転率の向上することができ、装置管理者の収益率向上を図ることが可能になる。
【０１０６】
また、請求項１１に記載の発明によれば、複数の落書きブースを使用している状態で、撮影ブースがもうすぐ空き状態になると、最先に使用している落書きブースの利用者に対して、その旨が報知手段により報知されることから、その最先に使用している落書きブースの利用者は、自分の撮影の順番が回ってきたことを容易に把握することができ、利用者の回転率を向上することが可能になる。
【０１０７】
また、請求項１２に記載の発明によれば、複数の落書きブースのうち１つの落書きブースのみが使用されており、撮影ブースも空いているときには、報知手段による一切の報知が行われないことから、その落書きブースを使用している利用者は、無制限の時間で編集用画像を作成することが可能になっていっそう楽しむことができる。
【図面の簡単な説明】
【図１】この発明の一実施形態における写真シール払出装置全体の外観斜視図である。
【図２】この発明の一実施形態における写真シール払出装置全体の概略構成図である。
【図３】この発明の一実施形態の一部の外観斜視図である。
【図４】この発明の一実施形態の制御系のブロック図である。
【図５】この発明の一実施形態の動作説明用フローチャートである。
【図６】この発明の一実施形態の動作説明用フローチャートである。
【図７】この発明の一実施形態の動作説明図である。
【図８】この発明の一実施形態の動作説明図である。
【図９】この発明の一実施形態の動作説明図である。
【図１０】この発明の一実施形態の動作説明図である。
【図１１】この発明の一実施形態の動作説明図である。
【図１２】この発明の一実施形態の動作説明図である。
【図１３】この発明の一実施形態の動作説明図である。
【図１４】この発明の一実施形態の動作説明図である。
【符号の説明】
１　　写真シール払出装置
３　　装置本体
９　　撮影ブース
１５ａ，１５ｂ　第１、第２落書きブース
１７ａ　カメラ（撮影手段）
１９ａ　メイン画面領域（第１の表示手段）
１９ｂ　デジタイザ（撮影ブース側操作手段、パスワード入力手段）
２１　タッチペン（撮影ブース側操作手段、パスワード入力手段）
３７　タッチペン（落書き操作手段、パスワード設定手段）
３５ａ，３５ｂ　落書き操作パネル
３９ａ　落書き画面領域（第２の表示手段）
３９ｂ　デジタイザ（落書き操作手段、パスワード設定手段）
５１　コントローラ部
５３　ＣＰＵ（制御手段）
５５　メモリ（保持手段）
５７　ＨＤ装置（格納手段）
６３　入力処理部（編集手段）
６５　画像処理部（編集手段）
６７　プリンタ（印刷手段）
７９　タイマ装置（落書き計時手段、撮影計時手段）
【図１】
2004056299.tif 000003
【図２】
2004056299.tif 000004
【図３】
2004056299.tif 000005
【図４】
2004056299.tif 000006
【図５】
2004056299.tif 000007
【図６】
2004056299.tif 000008
【図７】
2004056299.tif 000009
【図８】
2004056299.tif 000010
【図９】
2004056299.tif 000011
【図１０】
2004056299.tif 000012
【図１１】
2004056299.tif 000013
【図１２】
2004056299.tif 000014
【図１３】
2004056299.tif 000015
【図１４】
2004056299.tif 000016